(57)【特許請求の範囲】
【請求項１】
入力端子と、この入力端子に入力される高周波信号が一方の入力に供給されるとともに、他方の入力に局部発振器の発振信号が供給され、互いに位相が異なる複数の出力信号を出力するダイレクトコンバージョン方式の混合回路と、この混合回路の出力が供給された抑圧手段と、この抑圧手段の出力が供給された出力端子と、前記混合回路の出力信号に含まれる前記ＤＣオフセット電圧を検出する検出器と、この検出器の出力と前記抑圧手段の入力との間に挿入された制御部とを備え、前記検出器がＤＣオフセット電圧を検出した場合に、前記制御部が前記抑圧手段に対し前記ＤＣオフセット電圧を抑圧させるための信号を出力する制御が実行される高周波受信装置において、前記発振信号が供給されるとともに、この発振信号の信号レベルと予め定められた閾値とを比較することによって前記信号レベルの変化を判定するレベル判定器と、このレベル判定器の出力と前記制御部との間に挿入された駆動部とを設け、前記レベル判定器では、前記信号レベルが変化したと判定した場合に、温度が変化し、前記ＤＣオフセット電圧も変化したとみなして、前記駆動部に対し前記制御部を駆動させる旨の信号を出力し、この制御部の起動によって前記制御が実行された後、前記制御部において前記ＤＣオフセット電圧が０または最小あるいは最適状態であると判定された場合に、前記駆動部に対し前記制御部へ供給する駆動電源をオフする旨の信号を出力する高周波受信装置。
【請求項２】
入力端子と、この入力端子に入力される高周波信号が一方の入力に供給されるとともに、他方の入力に局部発振器の発振信号が供給されるダイレクトコンバージョン方式の第一の混合回路と、この第一の混合回路の出力が一方の入力に供給されるとともに、他方の入力には固定発振器の出力が供給された第二の混合回路と、この第二の混合回路から出力された複数の信号を合成する合成器と、この合成器の出力が供給される出力端子と、前記第一の混合回路と前記第二の混合回路の間あるいは、前記第二の混合回路と前記合成器の間とのいずれか一方に挿入された抑圧手段と、前記の第一の混合回路の出力信号に含まれたＤＣオフセット電圧を検出する検出器と、この検出器の出力と前記抑圧手段の入力との間に挿入された制御部とを備え、前記検出器が前記ＤＣオフセット電圧を検出した場合に、前記制御部が前記抑圧手段に対し前記ＤＣオフセット電圧を抑圧させるための信号を出力する制御が実行される高周波受信装置において、前記局部発振器と前記固定発振器のいずれか一方から出力される発振信号が供給されるとともに、この発振信号の信号レベルと予め定められた閾値とを比較することによって前記信号レベルの変化を判定するレベル判定器と、このレベル判定器の出力と前記制御部との間に挿入された駆動部とを有し、前記レベル判定器では、前記信号レベルが変化したと判定した場合に、温度が変化し、前記ＤＣオフセット電圧も変化したとみなして、前記駆動部に対し前記制御部を駆動させる旨の信号を出力し、この制御部の起動によって前記制御が実行された後、前記制御部において前記ＤＣオフセット電圧が０または最小あるいは最適状態であると判定された場合に、前記駆動部に対し前記制御部へ供給する駆動電源をオフする旨の信号を出力する高周波受信装置。
【請求項３】
レベル判定器には閾値の上限値と下限値を記憶するメモリが接続され、前記レベル判定器は発振信号のレベルが上限値より大きいと判定した場合に、前記上限値を新たな下限値として前記メモリへ記憶させるとともに、前記上限値に予め定められた値を加えた値を新たな上限値として前記メモリへ記憶させ、前記レベル判定器は発振信号のレベルが下限値より小さいと判定した場合に、前記下限値を新たな上限値として前記メモリへ記憶させるとともに、前記下限値に予め定められた値を減じた値を新たな下限値として前記メモリへ記憶させることを特徴とした請求項１あるいは２に記載の高周波受信装置。
【請求項４】
レベル判定器に接続されたメモリには、予め閾値と信号レベル基準値とを記憶させ、前記レベル判定器は入力された信号レベルと前記信号レベル基準値との差が前記閾値を超えたと判定した場合に、前記制御部に前記駆動部を駆動させることを特徴とした請求項１あるいは２に記載の高周波受信装置。
【請求項５】
レベル判定器は入力された信号レベルと信号レベル基準値との差が閾値を超えたと判定した場合に、入力された信号レベルの値を新たな信号レベル基準値としてメモリへ記憶させることを特徴とした請求項４に記載の高周波受信装置。
【請求項６】
制御部では、ＤＣオフセット電圧を打ち消す負電圧のキャンセル信号を発生させ、抑圧手段は、前記キャンセル信号と混合回路の出力とを合成する合成器とした請求項１に記載の高周波受信装置。
【請求項７】
制御部では、第二の混合器によってＩＦ周波数信号へ変換された変換ＤＣオフセット信号を打ち消すために、変換ＤＣオフセット信号と位相が１８０度異なるキャンセル信号を発生させ、抑圧手段は、前記キャンセル信号と第二の混合回路の出力とを合成する請求項２に記載の高周波受信装置。
【請求項８】
レベル判定器は、固定発振器の発振の信号レベルを判定する請求項２に記載の高周波受信装置。
【発明の詳細な説明】
【技術分野】
【０００１】
本発明は、バッテリー駆動された携帯用テレビなどに用いられるダイレクトコンバージョン方式の高周波受信装置に関するものである。
【背景技術】
【０００２】
以下、従来の携帯用テレビ１について図面を用いて説明する。図４は従来の携帯用テレビ１のブロック図である。図４において、従来の携帯用テレビ１には、アンテナ３と、このアンテナ３で受信した信号から希望チャンネルを選局する電子チューナ５と、電子チューナ５から出力されるＩ，Ｑ信号を復調する復調部７と、この復調部７で復調された信号をデコードするデコーダ９と、このデコーダ９の出力が供給された表示器１１およびスピーカ１３とを有している。
【０００３】
このような携帯用テレビ１における電子チューナ５の入力端子１５にはアンテナ３に供給された高周波信号が入力される。バンドパスフィルタ１７は、入力端子１５に入力された高周波信号の中から、受信帯域の周波数を通過させる。バンドパスフィルタ１７を通過した信号は増幅器１９で所定のレベルまで増幅され、ダイレクトコンバージョン方式の混合回路２１に供給される。
【０００４】
この混合回路２１は、混合器２３ａ、混合器２３ｂと移相器２５とにより構成されている。夫々の混合器２３ａ、混合器２３ｂにおける一方の入力には、増幅器１９の出力が供給され、他方の入力には局部発振器２７の発振信号が移相器２５を介して供給される。これによって、混合回路２１は、増幅器１９から出力された信号と、局部発振器２７の発振信号とを混合し、高周波信号を位相が互いに９０度異なったＩ，Ｑ信号へと直接変換する。なお、局部発振器２７にはＰＬＬ回路２９がループ接続されている。
【０００５】
Ｉ，Ｑ信号の夫々は、ローパスフィルタ３１ａ，３１ｂを介して出力端子３３ａ、出力端子３３ｂから夫々に出力される。そして電子チューナ５から出力されたＩ，Ｑ信号は、復調部７に供給される。この復調部７は、Ｉ，Ｑ信号が夫々に供給されるＡ／Ｄ変換器３５ａ，３５ｂと、復調器３７を有する構成としている。
【０００６】
このようなダイレクトコンバージョン方式を用いた回路は、集積回路化に適しているので、携帯性が重要視される携帯用テレビ１などに適している。しかしながら、ダイレクトコンバージョン方式は、混合回路２１で発生するＤＣオフセット電圧により、受信信号に歪が発生し、受信品質を劣化させる欠点を有している。
【０００７】
そこで、このようなダイレクトコンバージョン方式を用いた受信回路においては、ＤＣオフセット電圧を抑制する制御ループが設けられている。この制御ループにおいて、Ａ／Ｄ変換器３５ａ，３５ｂの夫々の出力を検出器３９ａ，３９ｂへ入力することにより、検出器３９ａ、検出器３９ｂはＤＣオフセット電圧を検出する。そして検出器３９ａ、検出器３９ｂの夫々の出力を制御部４１ａ、制御部４１ｂへ供給することにより、制御部４１ａ、制御部４１ｂは、検出されたＤＣオフセット電圧を打ち消すためのキャンセル信号を発生させる。
【０００８】
そして混合器２３ａ、混合器２３ｂとローパスフィルタ３１ａ、ローパスフィルタ３１ｂとの間の夫々に、合成器４３ａ（抑圧手段の一例として用いた）あるいは合成器４３ｂ（抑圧手段の一例として用いた）を挿入し、これらの合成器４３ａ，４３ｂにキャンセル信号を供給することで、ＤＣオフセット電圧をキャンセルする。
【０００９】
なお、この出願の発明に関連する先行技術文献情報としては、例えば、特許文献１が知られている。
【特許文献１】特開２００３−１３４１８３号公報
【発明の開示】
【発明が解決しようとする課題】
【００１０】
このように携帯用テレビのようなバッテリー駆動の装置に用いる高周波受信装置では、特に消費電流が小さいことが重要である。しかしながら従来の高周波受信装置における制御部では、常時検出器から出力される信号を確認し、合成器へ供給するキャンセル信号を発生させている。したがって、常時制御ループが実行されているので、消費電流が大きくなるという課題を有している。
【００１１】
そこで本発明は、この問題を解決したもので、低消費電流の高周波受信装置を提供することを目的としたものである。
【課題を解決するための手段】
【００１２】
この目的を達成するために本発明の高周波受信装置には、発振信号が供給されるとともに、この発振信号の信号レベルと予め定められた閾値とを比較することによって前記信号レベルの変化を判定するレベル判定器と、このレベル判定器の出力と前記制御部との間に挿入された駆動部とを設け、前記レベル判定器では、前記信号レベルが変化したと判定した場合に、温度が変化し、前記ＤＣオフセット電圧も変化したとみなして、前記駆動部に対し前記制御部を駆動させる旨の信号を出力し、この制御部の起動によって前記制御が実行された後、前記制御部において前記ＤＣオフセット電圧が０または最小あるいは最適状態であると判定された場合に、前記駆動部に対し前記制御部へ供給する駆動電源をオフする旨の信号を出力するものである。これにより初期の目的が達成できる。
【発明の効果】
【００１３】
以上のように本発明によれば、入力端子と、この入力端子に入力される高周波信号が一方の入力に供給されるとともに、他方の入力に局部発振器の発振信号が供給され、互いに位相が異なる複数の出力信号を出力するダイレクトコンバージョン方式の混合回路と、この混合回路の出力が供給された抑圧手段と、この抑圧手段の出力が供給された出力端子と、前記混合回路の出力信号に含まれる前記ＤＣオフセット電圧を検出する検出器と、この検出器の出力と前記抑圧手段の入力との間に挿入された制御部とを備え、前記検出器がＤＣオフセット電圧を検出した場合に、前記制御部が前記抑圧手段に対し前記ＤＣオフセット電圧を抑圧させるための信号を出力する制御が実行される高周波受信装置において、前記発振信号が供給されるとともに、この発振信号の信号レベルと予め定められた閾値とを比較することによって温度変動を検知するレベル判定器と、このレベル判定器の出力と前記制御部との間に挿入された駆動部とを設け、前記レベル判定器では、前記信号レベルが前記閾値を超えたと判定した場合に温度が変化し、前記ＤＣオフセット電圧も変化したとみなし、前記駆動部に対し前記制御部を駆動させる旨の信号を出力し、この制御部の起動によって前記制御が実行された後、前記制御部において前記ＤＣオフセット電圧が０または最小あるいは最適状態であると判定した場合に、前記駆動部に対し前記制御部へ供給する駆動電源をオフする旨の信号を出力する高周波受信装置である。
【００１４】
これにより、制御部はレベル判定器で信号レベルが前記閾値を超えたと判定した場合にのみ駆動するので、消費電力が少なくできるという効果がある。
【００１５】
またレベル判定器は、温度変動に応じて信号レベルが変化しやすい発振信号の信号レベルを検出するので、特に温度変動によるＤＣオフセット電圧の発生を抑圧できる。
【発明を実施するための最良の形態】
【００１６】
（実施の形態１）
以下、本実施の形態における高周波受信装置について図面を用いて説明する。図２は実施の形態１における携帯用テレビ４４の斜視図である。図２に示すように携帯用テレビ４４の本体部４５には、受信を希望するチャンネルや、電源のオン・オフを指示するための入力キー４７が配列される。表示部４９には、液晶の表示器１１が配置されており、本体部４５と表示部４９との間は、ヒンジ５１によって開閉可能なように連結されている。そして、本実施の形態における高周波受信装置５２は、本体部４５側に内蔵されており、携帯用テレビ４４のバッテリー電源によって駆動され、受信したテレビ放送を表示器１１へ表示させるものである。
【００１７】
では、次に本実施の形態における高周波受信装置５２について、図面を用いて説明する。図１は、実施の形態１における高周波受信装置の回路ブロック図である。図１において、図４と同じものは同じ番号を用いて、その説明は簡略化している。
【００１８】
図１に示す高周波受信装置５２において、アンテナ３から入力された高周波信号は、電子チューナ５３で受信される。この電子チューナ５３で選局された信号は、復調部７へ供給されて復調され、デコーダ９を介して表示器１１やスピーカ１３から、映像や音声として出力される。なお、本実施の形態における高周波信号は、デジタル変調されたいわゆるデジタルテレビ放送であり、約９０ＭＨｚ（ＣＨ１）から約７７０ＭＨｚ（ＣＨ６２）までの周波数の高周波信号である。
【００１９】
では次に、電子チューナ５３について詳細に説明する。電子チューナ５３の入力端子５５に入力された放送信号は、バンドパスフィルタ１７によって不必要な周波数が除去される。そしてこのバンドパスフィルタ１７の出力が増幅器１９へと入力される。ここで、携帯用テレビ４４と携帯電話とが一体化されたような携帯機器においては、バンドパスフィルタ１７で不要な周波数の信号を十分に減衰させることが重要である。これは、放送信号のレベルに比べて非常に大きなレベルの携帯電話のキャリア信号をバンドパスフィルタ１７で除去することで、増幅器１９や、この増幅器１９の後段に接続される混合器２３ａ、混合器２３ｂでの歪を防止するためである。
【００２０】
増幅器１９の出力は、混合回路２１に供給される。この混合回路２１には、混合器２３ａ、混合器２３ｂと、移相器２５とを含んでいる。これら夫々の混合器２３ａ、混合器２３ｂの一方の入力には、増幅器１９の出力が供給され、他方の入力には局部発振器２７の発振信号が移相器２５を介して供給される。これによって、混合回路２１は、増幅器１９から出力された信号と、局部発振器２７の発振信号とを混合し、高周波信号を位相が互いに９０度異なったＩ，Ｑ信号へと直接変換する。そのために移相器２５では、混合器２３ａ、混合器２３ｂとに対して、互いに位相が９０度異なった信号を供給する。なお、局部発振器２７にはＰＬＬ回路２９がループ接続されている。
【００２１】
Ｉ，Ｑ信号の夫々は、ローパスフィルタ３１ａ、ローパスフィルタ３１ｂを介して出力端子３３ａ、出力端子３３ｂから夫々に出力される。そして電子チューナ５３から出力されたＩ，Ｑ信号は、復調部７に供給される。この復調部７には、Ｉ，Ｑ信号が夫々に供給されるＡ／Ｄ変換器３５ａ、Ａ／Ｄ変調器３５ｂと、このＡ／Ｄ変換器３５ａ、Ａ／Ｄ変換器３５ｂの出力とデコーダ９との間に設けられた復調器３７を有する構成としている。
【００２２】
このようなダイレクトコンバージョン方式を用いた回路は、集積回路化に適しているので、携帯性が重要視される携帯用テレビなどに適している。しかしながら、ダイレクトコンバージョン方式は、混合回路２１で発生するＤＣオフセット電圧により、受信信号に歪が発生し、受信品質を劣化させる欠点を有している。
【００２３】
そこで、このようなダイレクトコンバージョン方式を用いた受信回路においては、ＤＣオフセット電圧を抑制する制御ループを設けている。この制御ループでは、Ａ／Ｄ変換器３５ａ、Ａ／Ｄ変換器３５ｂの夫々の出力を検出器３９ａ、検出器３９ｂへ入力し、Ａ／Ｄ変換器３５ａ、Ａ／Ｄ変換器３５ｂでデジタル信号へと変換された信号を用いて、ＤＣオフセット電圧を検出する。そして検出器３９ａ、検出器３９ｂの夫々の出力を制御部４１ａ、制御部４１ｂへ供給することにより、制御部４１ａ、制御部４１ｂは、検出されたＤＣオフセット電圧を打ち消すためのキャンセル信号を発生させる。
【００２４】
そして本実施の形態では混合器２３ａ、混合器２３ｂとローパスフィルタ３１ａ、ローパスフィルタ３１ｂとの間の夫々に、合成器４３ａ（抑圧手段の一例として用いた）あるいは合成器４３ｂ（抑圧手段の一例として用いた）を挿入する。そしてこれらの合成器４３ａ、４３ｂにキャンセル信号を供給することで、キャンセル信号と混合器２３ａ、混合器２３ｂの夫々の出力とを合成させる。これにより合成器４３ａ，４３ｂにおいてＤＣオフセット電圧とキャンセル信号とが合成され、ＤＣオフセット電圧が抑圧される。なお、これらの合成器４３ａ、合成器４３ｂは、Ａ／Ｄ変換器３５ａ、Ａ／Ｄ変換器３５ｂよりも上流であればＤＣオフセット電圧をキャンセルさせることが可能である。
【００２５】
ここで局部発振器２７の出力と制御部４１ａ，４１ｂとの間には、レベル判定器５７と、このレベル判定器５７の出力が接続された駆動部６１が挿入される。そしてレベル判定器５７には、メモリ５９が接続される。なおメモリ５９には、上下限の閾値（下限値と、この下限値に規定の電圧値を加えた上限値）が記憶されている。これによってレベル判定器５７は、局部発振器２７より入力された発振信号の信号レベルとメモリ５９に記憶された閾値とを比較する。さらに、制御部４１ａ、制御部４１ｂの出力はレベル判定器５７へ接続される。
【００２６】
そして発明者らは、上記のような高周波受信装置において、ＤＣオフセット電圧が変化する原因について検討している。本実施の形態のようなダイレクトコンバージョン方式におけるＤＣオフセット電圧の発生要因は、混合器２３ａや混合器２３ｂにおける自己ミキシングによるものや、混合器２３ａや混合器２３ｂが平衡回路で構成されることによる２組のトランジスタや抵抗などの特性差によるものなどがある。そして発明者らは特にこのようなＤＣオフセット電圧が、温度変動によって変化しやすいことを確認している。
【００２７】
発明者らは、温度に応じて局部発振器２７の発振信号のレベルが変化することに着目し、発振信号のレベルを検知することで温度変動を検知することを着想した。そこでレベル判定器５７で発振信号のレベルを検出し、このレベル判定器５７において発振信号のレベルが変化したと判定した場合のみ、ＤＣオフセットを抑圧する制御ループを動作させるわけである。このような構成により、発振レベルが変化した場合は、温度が変化し、ＤＣオフセット電圧も変化したとみなして、制御ループを動作させる。従って、温度の変化が閾値の範囲内である場合には、制御部４１ａ、および制御部４１ｂがオフとなるので、低消費電力の高周波受信装置を実現できる。なお本実施の形態では、制御部４１ａ，４１ｂのみをオフとしたが、これ以外に検出器３９ａ，３９ｂもオフとしてもよい。この場合さらに消費電力を小さくできる。
【００２８】
次に以上のように構成された高周波受信装置において、ＤＣオフセット電圧を抑制する動作について、以下詳細に説明する。レベル判定器５７は、局部発振器２７より入力された発振信号の信号レベルを検波し、この検波した信号レベルとメモリ５９に記憶された閾値とを比較する。本実施の形態においてメモリ５９には、発振信号の信号レベルの上限値と下限値との閾値が格納される。これによってレベル判定器５７は、上限値あるいは下限値を超えたと判定した場合に、閾値を超えた旨の信号を駆動部６１へ出力する。そして、この信号が入力された駆動部６１は、制御部４１ａ、制御部４１ｂを駆動させる。
【００２９】
ここで、レベル判定器５７で発振信号の信号レベルが上限値あるいは下限値を超えたと判定した場合には、メモリ５９に格納された閾値を変更する。具体的には、レベル判定器５７において発振信号の信号レベルが上限値よりも大きいと判定した場合に、レベル判定器５７はメモリ５９に記憶されていた上限値を新たな下限値としてメモリ５９へ格納する。さらに、レベル判定器５７はこの新たな下限値に規定電圧値を加えた値を新たな上限値としてメモリ５９へ格納する。
【００３０】
一方、レベル判定器５７において発振信号の信号レベルが下限値より小さいと判定した場合に、レベル判定器５７はメモリ５９に記憶されていた下限値を新たな上限値としてメモリ５９に格納する。さらに、レベル判定器５７はこの新たな上限値から規定電圧値を減じた値を新たな下限値としてメモリ５９に格納する。
【００３１】
このようにして、レベル判定器５７が閾値を超えたと判定した場合に、判定するための閾値を新たな値へと変更することで、レベル判定器５７で温度の変化を検出できることとなる。本実施の形態では、閾値としてレベルの絶対値を用い、この値を変化させて温度を検出するので、例え、温度に対して局部発振器２７の発振レベルの変化が非直線であっても、容易に温度変化を検出できる。そのために、メモリ５９に記憶させる閾値は、温度と対応した発振レベルの値を設定する。
【００３２】
そして、レベル判定器５７が閾値を超えたと判定した場合に、駆動部６１に対して制御部４１ａ、制御部４１ｂを駆動させる旨の信号を出力する。駆動部６１は、制御部４１ａ、制御部４１ｂへ電力を供給して制御部４１ａ、制御部４１ｂを動作させる。これによって制御ループが働き、制御部４１ａ、制御部４１ｂは検出したＤＣオフセット電圧を打ち消すために負電圧のキャンセル信号を発生させる。そして合成器４３ａ、合成器４３ｂによって、キャンセル信号と混合器２３ａ、混合器２３ｂの出力を合成させることによって、ＤＣオフセット電圧を抑圧する。
【００３３】
次に制御ループが実行された後において、制御部４１ａ、制御部４１ｂでＤＣオフセット電圧が０または最小、あるいは最適状態であると判定した場合、制御部４１ａ、制御部４１ｂは制御が完了した旨の終了信号をレベル判定器５７へ出力する。そしてレベル判定器５７はこの終了信号を受け取ると、駆動部６１に対して制御部４１ａ、制御部４１ｂの動作をオフさせる旨の信号を出力する。これによって駆動部６１は制御部４１ａ、制御部４１ｂへ供給する駆動電源をオフとする。
【００３４】
ここで制御部４１ａ、制御部４１ｂでＤＣオフセット電圧が０または最小、あるいは最適状態であると判定したときに、レベル判定器５７の指示により制御部４１ａ、制御部４１ｂはオフ状態とされるが、合成器４３ａ、合成器４３ｂへ供給していた電圧はそのまま維持されて、合成器４３ａ、合成器４３ｂへ供給され続ける。これによってその後もＤＣオフセット電圧のキャンセルは、継続されることとなる。
【００３５】
なお、本実施の形態では、メモリ５９に格納した上限値と下限値とを変化させたが、これは、レベル判定器５７が閾値を超えたと判定したときの発振信号のレベルを信号レベル基準値としてメモリ５９へ格納し、さらに閾値は固定の上下限値（レベルの変動幅）としてメモリ５９へ格納してもよい。この場合レベル判定器５７は、以降に入力された発振信号のレベルと信号レベル基準値とのレベル差を検出し、このレベル差と固定の閾値とを比較することで、温度変化量を検出することができる。
【００３６】
このように発振信号のレベルと信号レベル基準値とのレベル差によって判定することで、前回制御ループを回したときの発振レベルを基準値として格納できることとなる。これにより、前回制御ループが実行された時点からの温度変動量を確実に検出できるので、さらに効果的に制御ループを回させることができる。従って、さらに消費電力を少なくできる。
【００３７】
なお、本実施の形態における混合回路２１と局部発振器２７、ＰＬＬ回路２９、合成器４３ａ、合成器４３ｂ、ローパスフィルタ３１ａ、ローパスフィルタ３１ｂ、制御部４１ａ、制御部４１ｂ、レベル判定器５７、駆動部６１は全てひとつの集積回路内に構成される。これにより、小型の高周波受信装置を実現することができる。
【００３８】
また、本実施の形態では、混合器２３ａ、混合器２３ｂとローパスフィルタ３１ａ、ローパスフィルタ３１ｂとの間に合成器４３ａ、合成器４３ｂを挿入したが、これらの合成器４３ａ、合成器４３ｂはローパスフィルタ３１ａ、ローパスフィルタ３１ｂと出力端子３３ａ、出力端子３３ｂとの間に設けても良い。
【００３９】
さらに、本実施の形態では検出器３９ａ、検出器３９ｂは、Ａ／Ｄ変換器３５ａ、Ａ／Ｄ変換器３５ｂの出力からＤＣオフセット電圧を検出している。従って、制御部４１ａ、制御部４１ｂはデジタル信号として処理することができるので、処理が容易である。また、復調のために設けられたＡ／Ｄ変換器３５ａ、Ａ／Ｄ変換器３５ｂを流用するので、別途Ａ／Ｄ変換器を設ける必要が無い。
【００４０】
更にまた、本実施の形態ではＡ／Ｄ変換器３５ａ、Ａ／Ｄ変換器３５ｂの出力を検出器３９ａ、検出器３９ｂに供給したが、これは少なくとも合成器４３ａ、合成器４３ｂより下流であればよい。例えば、検出器３９ａ、検出器３９ｂへの入力信号を合成器４３ａ、合成器４３ｂと出力端子３３ａ、出力端子３３ｂとの間から供給すれば、制御ループを電子チューナ５３内で構成させることができる。そしてこのようにすれば、検出器３９ａ、検出器３９ｂも含めて集積回路内に構成することが可能となり、さらに小型の電子チューナ５３を実現できる。
【００４１】
（実施の形態２）
以下、実施の形態２における高周波受信装置６４について図面を用いて説明する。図３は、本実施の形態における高周波受信装置の回路ブロック図である。なお、図３において、図１や図４と同じものは同じ番号を用いてその説明は簡略化している。
【００４２】
図３における携帯用テレビにおける高周波受信装置６４は、アンテナ３と、このアンテナ３で受信した信号から希望チャンネルを選局する電子チューナ６５、この電子チューナ６５から出力される中間周波信号を復調する復調部８６と、この復調部８６で復調された信号をデコードするデコーダ９と、このデコーダ９の出力が供給された表示器１１およびスピーカ１３とを有している。
【００４３】
このように構成された電子チューナ６５は、電子チューナ５３と同様に、アンテナ３から供給された高周波信号が入力端子６６、バンドパスフィルタ１７、増幅器１９とを介してダイレクトコンバージョン方式の混合回路２１へ供給する。そしてこの混合回路２１では、この高周波信号と局部発振器２７から出力された信号とを混合することで、直接Ｉ信号とＱ信号とを取り出している。そして、混合回路２１から出力されたＩ信号とＱ信号の夫々は、ローパスフィルタ３１ａ、ローパスフィルタ３１ｂとに対して夫々に供給される。
【００４４】
本実施の形態における高周波受信装置には、ローパスフィルタ３１ａ、ローパスフィルタ３１ｂの夫々の出力が、その一方の入力に供給されるとともに、他方の入力には固定発振器６９の出力が供給される混合回路７１を有している。なお、本実施の形態において、固定発振器６９は５７ＭＨｚの周波数の固定発振信号を発生する発振器である。そして混合回路７１は、固定発振器６９の出力とＩあるいはＱ信号とを混合して、５７ＭＨｚの周波数の中間周波信号へと変換する。
【００４５】
この混合回路７１には混合器７３ａと混合器７３ｂとを有しており、ローパスフィルタ３１ａ、ローパスフィルタ３１ｂの出力が、混合器７３ａと混合器７３ｂの夫々に供給される。なお、固定発振器６９にはＰＬＬ回路７５がループ接続されている。さらに、混合器７３ａと混合器７３ｂの他方の入力と固定発振器６９との間には移相器７７が挿入されている。この移相器７７は、混合器７３ａと混合器７３ｂに対し、夫々移相が９０度異なる信号を供給するために、固定発振器６９から出力された発振信号の移相を変化させる。そして、合成器７９の入力には、これら混合器７３ａと混合器７３ｂの出力が供給され、これらの出力信号を合成する。この合成器７９で合成された信号は、バンドパスフィルタ８１を介して出力端子８２より復調部８６へ出力される。
【００４６】
つまり、本実施の形態における高周波受信装置は、混合回路２１と混合回路７１および合成器７９によって、いわゆるウェーバ（あるいはウィーバ）方式の高周波受信装置構成としたものである。これによれば、合成器７９の入力には、互いに同位相となった２つの中間周波信号が入力される。このとき、イメージ信号は、位相が互いに１８０度異なる状態となるので、合成器７９においてイメージ信号はキャンセルされることとなる。なお、混合器７３ａ、混合器７３ｂでは、混合器２３ａと混合器２３ｂから出力されたＤＣオフセット電圧が固定発振器６９の信号と混合される。これによって、混合器７３ａ、混合器７３ｂからＤＣオフセット電圧が中間周波数へと変換された信号（以降、変換ＤＣオフセット信号という）が出力される。
【００４７】
バンドパスフィルタ８１は合成器７９と出力端子８２との間に挿入される。またバンドパスフィルタ８１の出力は、検出器８３の入力に接続される。これによって検出器８３は、混合回路７１の出力信号の中から変換ＤＣオフセット信号を検出する。この検出器８３の出力は制御部８５の入力に接続される。そしてこの制御部８５の出力は、ローパスフィルタ３１ａと混合器７３ａとの間に設けられた合成器８７ａ（抑圧手段の一例として用いた）と、ローパスフィルタ３１ｂと混合器７３ｂとの間に設けられた合成器８７ｂ（抑圧手段の一例として用いた）とに供給される。
【００４８】
そして制御部８５は、変換ＤＣオフセット信号を打ち消すために、検出器８３で検出した変換ＤＣオフセット信号に応じたキャンセル信号を発生させて、合成器８７ａ、合成器８７ｂへ供給する。これにより合成器８７ａ，８７ｂにおいて、ＤＣオフセット電圧と夫々のキャンセル信号が合成されることによって、ＤＣオフセット電圧がキャンセルされる。
【００４９】
なお本実施の形態では、ローパスフィルタ３１ａと混合器７３ａとローパスフィルタ３１ｂと混合器７３ｂとの間とに合成器８７を設けたが、これは、ローパスフィルタ３１ａと混合器２３ａとの間とローパスフィルタ３１ｂと混合器２３ｂとの間や、混合器７３ａと合成器７９との間と混合器７３ｂと合成器７９との間のいずれかに設ければ良い。
【００５０】
また、合成器８７ａ，８７ｂを合成器７９（この場合、合成器７９が抑圧手段の一例として用いられる）で兼ねることも可能である。つまり、合成器７９に対して制御部８５で発生させたキャンセル信号を直接供給し、この合成器７９によって混合器２３ａで発生したＤＣオフセット電圧と、混合器２３ｂで発生したＤＣオフセット電圧と、キャンセル信号とを一気に合成するものである。これにより回路規模をさらに小さくすることができ、さらに小型化することが可能となる。
【００５１】
そして、本実施の形態におけるレベル判定器５７や駆動部６１やメモリ５９は、実施の形態１と同じものが用いられ、レベル判定器５７は、固定発振器から入力したレベルをメモリに記憶された閾値と比較する。そして、入力したレベルが閾値を超えていると判定した場合に、駆動部６１に対し、制御部８５を駆動させる旨の信号を出力する。これによって、温度が変化した場合に、制御ループが実行されるので、低消費電力の高周波受信装置を実現できる。
【００５２】
ただし、本実施の形態におけるレベル判定器５７は、固定発振器６９の出力レベルを検出するものであり、また制御部８５より制御が完了した旨の信号が入力されると、駆動部６１に対して制御部８５をオフするように指示する。
【００５３】
そしてこの制御ループが実行された後に、制御部８５で変換ＤＣオフセット信号が０または最小、あるいは最適状態であると判定した場合、制御部８５は制御が完了した旨の終了信号をレベル判定器５７へ出力する。そしてレベル判定器５７はこの終了信号を受け取ると、駆動部６１に対して制御部８５の動作をオフさせる旨の信号を出力する。これによって駆動部６１は制御部８５をオフとする。
【００５４】
ここで制御部８５が、変換ＤＣオフセット電圧が０または最小、あるいは最適状態であると判定したときに、レベル判定器５７の指示により制御部８５はオフ状態とされるが、合成器８７（あるいは合成器７９）へ供給していたキャンセル信号はそのまま維持されて、合成器８７（あるいは合成器７９）へ供給され続ける。
【００５５】
以上のように本実施の形態における高周波受信装置では、ウェーバ方式を用いているので、イメージ信号の抑圧が可能となる。なお本実施の形態におけるレベル判定器５７では、固定発振器６９の出力レベルを検出するので、受信したい希望チャンネルの周波数による発振レベルの変動が起こり難い。従って、レベル判定器５７での温度変化の判定精度が高くできる。
【００５６】
また、検出器８３への入力信号はバンドパスフィルタ８１と出力端子８２との間から供給しているので、制御ループを電子チューナ６５内で構成させることができる。そしてこのようにすれば、混合回路２１と局部発振器２７，６９、ＰＬＬ回路２９，７５、合成器７９、合成器８７ａ、合成器８７ｂ、ローパスフィルタ３１ａ、ローパスフィルタ３１ｂ、制御部８５、レベル判定器５７、駆動部６１に加えて検出器８３も含めて集積回路内に構成することが可能となり、さらに小型の電子チューナ６５を実現できる。
【産業上の利用可能性】
【００５７】
本発明にかかる高周波受信装置は、低消費電力が必要となる携帯用途の受信機器等に用いると有用である。
【図面の簡単な説明】
【００５８】
【図１】本実施の形態１における高周波受信装置のブロック図
【図２】同、携帯用テレビの外観斜視図
【図３】本実施の形態２における高周波受信装置のブロック図
【図４】従来の高周波受信装置のブロック図
【符号の説明】
【００５９】
２１  混合回路
２７  局部発振器
３３  出力端子
３９  検出器
４１  制御部
４３  合成器
５５  入力端子
５７  レベル判定器
６１  駆動部
【図１】
0004470847.tif 000002
【図２】
0004470847.tif 000003
【図３】
0004470847.tif 000004
【図４】
0004470847.tif 000005